(57)【要約】【課題】表示操作盤の電力を低減でき、外部からの電源の供給を不要にでき、全体のサイズを小型化できる制御装置用表示操作盤を提供すること。【解決手段】制御装置との間でデータの授受を行うために通信接続可能とされた表示操作盤であって、各種設定操作やデータの入力を手動で行わせるためのタッチパネル３、データ表示を行うための有機ＥＬ表示器４、電源生成のための太陽電池５、及びデータの入出力や有機ＥＬ表示器４の表示制御を行うための制御回路６がケーシング２に収容されてなる。【選択図】図１
2006228196.tif 000002
【特許請求の範囲】
【請求項１】
機械を制御する制御装置との間でデータの授受を行うために通信接続可能とされた表示操作盤であって、各種設定操作やデータの入力を手動で行わせるためのタッチパネル、データ表示を行うための有機ＥＬ表示器、電源生成のための太陽電池、及びデータの入出力や前記有機ＥＬ表示器の表示制御を行うための制御回路がケーシングに収容されてなることを特徴とする制御装置用表示操作盤。
【請求項２】
前記タッチパネルが前記ケーシングの上部に露出した状態で収容され、前記タッチパネルの背面に前記有機ＥＬ表示器が配置され、前記有機ＥＬ表示器の背面に前記太陽電池が配置され、前記太陽電池の背面に前記制御回路が配置されたことを特徴とする請求項１に記載の制御装置用表示操作盤。
【請求項３】
前記タッチパネルが前記ケーシングの上部に露出した状態で収容され、前記タッチパネルの背面に前記有機ＥＬ表示器が配置され、前記有機ＥＬ表示器の背面に前記制御回路が配置され、前記ケーシングの底部に前記太陽電池が露出した状態で配置されたことを特徴とする請求項１に記載の制御装置用表示操作盤。
【請求項４】
前記タッチパネルが前記ケーシングの上部に露出した状態で収容され、前記タッチパネルの背面に前記有機ＥＬ表示器が配置され、前記有機ＥＬ表示器の背面に前記制御回路が配置され、前記ケーシングの上面の側縁部に前記太陽電池が配置されたことを特徴とする請求項１に記載の制御装置用表示操作盤。
【請求項５】
前記制御装置との間でデータの授受を無線通信により行う通信手段を備えていることを特徴とする請求項１に記載の制御装置用表示操作盤。
【請求項６】
前記制御装置は、数値制御装置である請求項１乃至５の内いずれか１項に記載の制御装置用表示操作盤。
【請求項７】
前記機械はロボットであり、前記制御装置はロボット制御装置である請求項１乃至５の内いずれか１項に記載の制御装置用表示操作盤。
【発明の詳細な説明】
【技術分野】
【０００１】
本発明は、機械を制御する制御装置表示操作盤に関し、特に、工作機械等を制御する数値制御装置（ＣＮＣ）やロボットを制御するロボット制御装置における表示操作盤に関するものである。
【背景技術】
【０００２】
工作機械を制御する数値制御装置やロボットを制御するロボット制御装置等の各種機械や装置を制御する制御装置は、一般には、ＬＣＤ（Ｌｉｑｕｉｄ  Ｃｒｙｓｔａｌ  Ｄｉｓｐｌａｙ）／ＭＤＩ等の表示装置付手動データ入力装置を備えているものが多い。各種設定操作やデータの入出力およびシステムソフトウェアのアップデート等の作業は、表示装置付手動データ入力装置を使って行われている。しかしながら、１軸のモータ制御用の数値制御装置（例えば、モーションコントローラ）等の制御装置では、ＬＣＤ／ＭＤＩ等が接続されていないものや、ＬＣＤ／ＭＤＩ等の取り付けを考慮していない設計のものが多い。このような制御装置においては、制御装置に対して着脱可能とされた表示操作盤を用い、制御装置に表示操作盤を接続して各種設定操作やデータの入力作業を行っている。この表示操作盤は表示器としてＬＣＤが一般には使用され、電源は制御装置から供給を受けるように接続している。これとは別に、照明用としてＥＬ（エレクトリック  ルミネッセンス）パネルを使用し、電源として太陽電池を使用したものは、時計の分野では知られている（例えば、特許文献１参照）。
【０００３】
【特許文献１】特開２００２−１４８３６１号公報
【発明の開示】
【発明が解決しようとする課題】
【０００４】
上述したように従来の制御装置の表示操作盤は、表示器としてのＬＣＤによる消費電力が大きいために、使用時には制御装置から電力の供給を受ける必要があった。このため、制御装置との接続は有線にて行われていた。また、表示操作盤は表示部および操作キーを備えていることから、おのずと全体のサイズが大きくなり、持ち運びには不向きなものであった。
【０００５】
そこで、本発明の目的は、表示操作盤の電力を低減でき、外部からの電源の供給を不要にでき、全体のサイズを小型化できる制御装置用表示操作盤を提供することにある。
【課題を解決するための手段】
【０００６】
請求項１に係る制御装置用表示操作盤は、制御装置との間でデータの授受を行うために通信接続可能とされたものであって、各種設定操作やデータの入力を手動で行わせるためのタッチパネル、データ表示を行うための有機ＥＬ表示器、電源生成のための太陽電池、及びデータの入出力や前記有機ＥＬ表示器の表示制御を行うための制御回路がケーシングに収容されてなることを特徴とする。
【０００７】
請求項２に係る制御装置用表示操作盤は、請求項１に係る制御装置用表示操作盤において、前記タッチパネルが前記ケーシングの上部に露出した状態で収容され、前記タッチパネルの背面に前記有機ＥＬ表示器が配置され、前記有機ＥＬ表示器の背面に前記太陽電池が配置され、前記太陽電池の背面に前記制御回路が配置されたことを特徴とするものである。
【０００８】
請求項３に係る制御装置用表示操作盤は、請求項１に係る制御装置用表示操作盤において、前記タッチパネルが前記ケーシングの上部に露出した状態で収容され、前記タッチパネルの背面に前記有機ＥＬ表示器が配置され、前記有機ＥＬ表示器の背面に前記制御回路が配置され、前記ケーシングの底部に露出した状態で前記太陽電池が配置されたことを特徴とするものである。
【０００９】
請求項４に係る制御装置用表示操作盤は、請求項１に係る制御装置用表示操作盤において、前記タッチパネルが前記ケーシングの上部に露出した状態で収容され、前記タッチパネルの背面に前記有機ＥＬ表示器が配置され、前記有機ＥＬ表示器の背面に前記制御回路が配置され、前記ケーシングの上面の側縁部に前記太陽電池が配置されたことを特徴とするものである。
【００１０】
請求項５に係る制御装置用表示操作盤は、請求項１に係る制御装置用表示操作盤において、前記制御装置との間でデータの授受を無線通信により行う通信手段を備えていることを特徴とするものである。
そして、上述した制御装置を、請求項６に係る発明は、数値制御装置とし、請求項７に係る発明はロボット制御装置とし、これらの数値制御装置又はロボット制御装置用の表示操作盤としたものである。
【発明の効果】
【００１１】
本発明によれば、表示器として低消費電力である有機ＥＬ表示器を用いたことにより、表示操作盤の電力を低減することができ、発電源として太陽電池を使用することにより、外部からの電源の供給を不要とすることができ、手動データ入力装置としてタッチパネルを採用することで表示器と一体に構成できるから、全体のサイズを小型化できる。また、制御装置との通信手段を無線通信とすることにより、使用するときに制御装置に対して有線接続する必要がなくなる。
【発明を実施するための最良の形態】
【００１２】
以下、本発明の実施形態を図面を参照して説明する。図１は本発明の第１実施形態に係る制御装置用の表示操作盤１の構成を示す概略断面図である。表示操作盤１は、箱型のケーシング２の上部に各種設定操作やデータの入力を手動で行わせるためのタッチパネル３が露出した状態で収容され、タッチパネル３の背面にデータ表示を行うのための有機ＥＬ表示器４が配置され、有機ＥＬ表示器４の背面に電源としての太陽電池５が配置され、太陽電池５の背面にデータの入出力や有機ＥＬ表示器４の表示制御を行うための制御回路６が配置されている。本発明の制御装置用の表示操作盤１は、タッチパネル３、有機ＥＬ表示器４、太陽電池５及び制御回路６が一つのケーシング２に積層して収容されてなることを特徴とするものである。当該表示操作盤１は、図示していない数値制御装置やロボット制御装置等の各種制御装置との間でデータの授受を行うために通信接続可能とされたものである。
【００１３】
図２は表示操作盤１に配備された電気回路を示すブロック図である。制御回路６には、無線で通信するための通信回路８が接続され、該通信回路８を通じて図示していないモータ制御用の数値制御装置（例えば、モーションコントローラ）等の制御装置と接続され無線で通信するように構成されている。また、接続コネクタ等による有線接続で制御装置と接続し、制御装置と通信するようにしてもよい。表示操作盤１は、制御装置に接続してタッチパネル３から各種設定操作、データの入力およびシステムソフトウェアのアップデート等を行う。また、制御回路６はデータの入出力制御や有機ＥＬ表示器４の表示制御を行う。また、当該表示操作盤１を使用していない状態では、太陽電池５で生成された電源は蓄電池７に充電される。蓄電池７に蓄えられた電源は、制御回路６の起動電源、有機ＥＬ表示器４の作動電源、タッチパネル３の作動電源、通信回路８の作動電源に用いられる。
【００１４】
図１に示すように、本発明によれば、表示器として低消費電力である有機ＥＬ表示器４を用いたことにより、表示操作盤１の電力を低減することができ、低消費電力を実現できるから電源として太陽電池５を使用することができて、外部からの電源の供給を不要とすることができる。また、手動データ入力装置としてタッチパネルを採用したことで、操作キーを別途備える必要がなくなり、表示パネル（表示器）と一体に構成できるから、操作盤全体のサイズを小型化できる。また、通信回路８を制御装置との間でデータの授受を無線通信により行う無線通信回路で構成することで、操作盤を使用するときに制御装置に対して有線接続する必要がなくなり、制御装置に対して遠隔操作することができる。
【００１５】
また、有機ＥＬ表示器４を用いたことの効用として、有機ＥＬ表示器４は使用していない状態では透明であるため、有機ＥＬ表示器４の背面に太陽電池５を配置して太陽電池５で発電を行わせることができる。
【００１６】
本発明は、図１に示した構成に限らず種々の変形が可能である。図３は本発明の第２実施形態に係る表示操作盤の構成を示す概略断面図である。第２実施形態の表示操作盤は、タッチパネル３がケーシング２の上部に露出した状態で収容され、タッチパネル３の背面に有機ＥＬ表示器４が配置され、有機ＥＬ表示器４の背面に制御回路６が配置され、ケーシング２の底部に太陽電池５が配置されたことを特徴とするものである。図２のように構成した場合、表示操作盤を使用していない状態では表示操作盤を反転して底部に配置した太陽電池５で発電を行わせる。
【００１７】
図４は本発明の第３実施形態に係る表示操作盤の構成を示す概略断面図である。第３実施形態の表示操作盤は、タッチパネル３がケーシング２の上部に露出した状態で収容され、タッチパネル３の背面に有機ＥＬ表示器４が配置され、有機ＥＬ表示器４の背面に制御回路６が配置され、ケーシング２の上面の側縁部に太陽電池５が配置されたことを特徴とするものである。図５は第３実施形態に係る表示操作盤を示す平面図である。また、図６は第４実施形態に係る表示操作盤を示す平面図である。太陽電池５をケーシング２の上面に配置する場合の太陽電池５の配置位置としては、図５に示すようにケーシング２の上面の左右の側縁部にそれぞれ配置してもよいし、図６に示すようにケーシング２の上面の上側縁部に配置してもよい。
【産業上の利用可能性】
【００１８】
本発明の表示操作盤は、各種機械の制御装置用の表示操作盤として用いることができ、工作機械等を制御する数値制御装置用の表示操作盤、ロボットを制御するロボット制御装置の表示操作盤として用いることができる。
【図面の簡単な説明】
【００１９】
【図１】本発明の第１実施形態に係る制御装置用の表示操作盤の構成を示す概略断面図である。
【図２】表示操作盤に配備された電気回路を示すブロック図である。
【図３】本発明の第２実施形態に係る表示操作盤の構成を示す概略断面図である。
【図４】本発明の第３実施形態に係る表示操作盤の構成を示す概略断面図である。
【図５】第３実施形態に係る表示操作盤を示す平面図である。
【図６】第４実施形態に係る表示操作盤を示す平面図である。
【符号の説明】
【００２０】
１  表示操作盤
２  ケーシング
３  タッチパネル
４  有機ＥＬ表示器
５  太陽電池
６  制御回路
７  蓄電池
８  通信回路
【図１】
2006228196.tif 000003
【図２】
2006228196.tif 000004
【図３】
2006228196.tif 000005
【図４】
2006228196.tif 000006
【図５】
2006228196.tif 000007
【図６】
2006228196.tif 000008